(57)【要約】【課題】コスト低減を可能とし、限られたスペースにおける取り付け性も良く、電気的な安定性も向上させることができる読書灯を提供する。【解決手段】光源を含む灯体２０と、該灯体２０を収容した状態で灯体２０に対して相対的に変位可能なケース３０と、灯体２０を固定した状態でケース３０を変位可能に支持する支持体４０とを有する。ケース３０の一部は、支持体４０に対して回転させる操作部３１となり、操作部３１は、光源を点灯ないし消灯させる第１のスイッチと、光源の照度を調光する第２のスイッチを兼ねている。【選択図】図１
2019064410.tif 000002
【特許請求の範囲】
【請求項１】
乗物用の座席に対応して設けられ光を照射する読書灯において、
光源を含む灯体と、該灯体を収容した状態で該灯体に対して相対的に変位可能なケースと、前記灯体を固定した状態で前記ケースを変位可能に支持する支持体とを有し、
前記ケースの一部は、前記支持体に対して変位させるための操作部となり、
前記操作部は、前記光源を点灯ないし消灯させる第１のスイッチ、および／または前記光源の点灯時における照度を調光する第２のスイッチを兼ねていることを特徴とする読書灯。
【請求項２】
前記灯体は、光源の光を外部へ照射する発光面以外の面が球面として形成され、
前記ケースは、円筒状に形成されて、その前端開口側に、前記灯体の球面を囲って該灯体を回転可能に保持する収納部を備え、前記灯体に対して中心軸周りに相対的に回転可能に前記支持体に軸支され、
前記操作部は、前記ケースの前端開口端の周囲にフランジ状の回転ツマミとして形成されたことを特徴とする請求項１に記載の読書灯。
【請求項３】
前記第１のスイッチおよび前記第２のスイッチを構成する一つの可変抵抗器を有し、
前記可変抵抗器の操作軸は、前記回転ツマミの操作に連動するように歯車機構を介して前記ケース側に連結されたことを特徴とする請求項２に記載の読書灯。
【請求項４】
前記歯車機構は、前記ケースの後端開口端の周囲に設けられた駆動歯車と、前記可変抵抗器の操作軸に設けられ、前記駆動歯車に回転可能に噛み合う従動歯車とを備えることを特徴とする請求項３に記載の読書灯。
【請求項５】
前記光源および前記可変抵抗器に接続される制御回路を有し、
前記可変抵抗器および前記制御回路は、それぞれ前記支持体に一体に取り付けられてユニットとして構成されていることを特徴とする請求項３または４に記載の読書灯。
【請求項６】
前記灯体は、前記発光面の中心が前記ケースの中心軸とずれる方向への回転に伴って前記光源の光軸方向を調整可能であり、かつ前記ケースの回転時には回転不能に前記支持体に支持されたことを特徴とする請求項２，３，４または５に記載の読書灯。
【請求項７】
前記灯体の発光面と対向する球面後方にピンが突設され、該灯体の球面後方が対接する前記支持体に、前記ピンが係合して一定方向に案内されるガイド溝が設けられ、前記光源の光軸方向は、前記ピンが前記ガイド溝を移動する範囲で調整可能であり、
前記灯体は、前記ピンに設けられた付勢手段により前記支持体に対して圧接された状態で支持されていることを特徴とする請求項６に記載の読書灯。
【発明の詳細な説明】
【技術分野】
【０００１】
本発明は、乗物用の座席に対応して設けられ光を照射する読書灯に関する。
【背景技術】
【０００２】
従来、この種の読書灯としては、座席自体または座席の近くに設けられ、照明のためのスポット光を着座者の手元に照射するものが多く知られている（例えば、特許文献１，２参照）。何れの読書灯においても、光源を点灯ないし消灯させるスイッチは、読書灯とは別に着座者が手元で操作しやすい座席のソデ（中肘、側肘）等に取り付けられていた。また、一般に読書灯には、スポット光の照度を調光する機能は備えられていなかった。
【先行技術文献】
【特許文献】
【０００３】
【特許文献１】特開２０１１−３７３８６号公報
【特許文献２】特開２０１４−１０１１０２号公報
【発明の概要】
【発明が解決しようとする課題】
【０００４】
しかしながら、前述した特許文献に記載の従来一般の読書灯では、読書灯自体とそのスイッチが離れた箇所に別々に設けられていたので、部品点数が多くなり取り付け工数も増大し、コストアップの要因となるという問題があった。特に、スイッチを取り付ける座席のソデは、実質的な配置スペースに乏しく、スイッチの取り付け性も良くなかった。
【０００５】
また、読書灯の点灯を制御する制御回路は、一般にスイッチの近傍に配置されるため、読書灯とスイッチとの距離が離れていると、制御回路・スイッチと読書灯の間の電気配線が長く引き伸ばされることになる。そのため、電気配線においてノイズが発生しやすくなり、電気的安定性に欠ける虞があった。
【０００６】
さらに、読書灯には調光する機能が備わっていないため、着座者は好みの明るさに調整することができず不便であった。仮に、読書灯に調光機能を新たに付加するとなると、制御回路の改良の他に調光のためのスイッチも別途必要となり、なおさら部品点数が多くなり取り付け工数の増大を招く結果となる。
【０００７】
本発明は、以上のような従来技術が有する問題点に着目してなされたものであり、部品点数や取り付け工数の削減によるコスト低減を可能とし、限られたスペースにおける取り付け性も良く、電気的な安定性も向上させることができ、しかも、調光機能を付加するにしても、部品点数や取り付け工数の増大を抑えることができる読書灯を提供することを目的としている。
【課題を解決するための手段】
【０００８】
前述した目的を達成するための本発明の要旨とするところは、以下の各項の発明に存する。  
［１］乗物用の座席（１）に対応して設けられ光を照射する読書灯（１０）において、
光源を含む灯体（２０）と、該灯体（２０）を収容した状態で該灯体（２０）に対して相対的に変位可能なケース（３０）と、前記灯体（２０）を固定した状態で前記ケース（３０）を変位可能に支持する支持体（４０）とを有し、
前記ケース（３０）の一部は、前記支持体（４０）に対して変位させるための操作部（３１）となり、
前記操作部（３１）は、前記光源を点灯ないし消灯させる第１のスイッチ、および／または前記光源の点灯時における照度を調光する第２のスイッチを兼ねていることを特徴とする読書灯（１０）。
【０００９】
［２］前記灯体（２０）は、光源の光を外部へ照射する発光面（２３）以外の面が球面として形成され、
前記ケース（３０）は、円筒状に形成されて、その前端開口側に、前記灯体（２０）の球面を囲って該灯体（２０）を回転可能に保持する収納部（３２）を備え、前記灯体（２０）に対して中心軸周りに相対的に回転可能に前記支持体（４０）に軸支され、
前記操作部（３１）は、前記ケース（３０）の前端開口端の周囲にフランジ状の回転ツマミとして形成されたことを特徴とする前記［１］に記載の読書灯（１０）。
【００１０】
［３］前記第１のスイッチおよび前記第２のスイッチを構成する一つの可変抵抗器（５０）を有し、
前記可変抵抗器（５０）の操作軸（５１）は、前記回転ツマミの操作に連動するように歯車機構を介して前記ケース（３０）側に連結されたことを特徴とする前記［２］に記載の読書灯（１０）。
【００１１】
［４］前記歯車機構は、前記ケース（３０）の後端開口端の周囲に設けられた駆動歯車（３３）と、前記可変抵抗器（５０）の操作軸（５１）に設けられ、前記駆動歯車（３３）に回転可能に噛み合う従動歯車（５２）とを備えることを特徴とする前記［３］に記載の読書灯（１０）。
【００１２】
［５］前記光源および前記可変抵抗器（５０）に接続される制御回路（６０）を有し、
前記可変抵抗器（５０）および前記制御回路（６０）は、それぞれ前記支持体（４０）に一体に取り付けられてユニットとして構成されていることを特徴とする前記［３］または［４］に記載の読書灯（１０）。
【００１３】
［６］前記灯体（２０）は、前記発光面（２３）の中心が前記ケース（３０）の中心軸とずれる方向への回転に伴って前記光源の光軸方向を調整可能であり、かつ前記ケース（３０）の回転時には回転不能に前記支持体（４０）に支持されたことを特徴とする前記［２］，［３］，［４］または［５］に記載の読書灯（１０）。
【００１４】
［７］前記灯体（２０）の発光面（２３）と対向する球面後方にピン（２５）が突設され、該灯体（２０）の球面後方が対接する前記支持体（４０）に、前記ピン（２５）が係合して一定方向に案内されるガイド溝（４４ｂ）が設けられ、前記光源の光軸方向は、前記ピン（２５）が前記ガイド溝（４４ｂ）を移動する範囲で調整可能であり、
前記灯体（２０）は、前記ピン（２５）に設けられた付勢手段（２７）により前記支持体（４０）に対して圧接された状態で支持されていることを特徴とする前記［６］に記載の読書灯（１０）。
【００１５】
次に、前述した解決手段に基づく作用を説明する。
前記［１］に記載の読書灯（１０）によれば、灯体（２０）を収容したケース（３０）が、支持体（４０）に対して変位可能であり、このケース（３０）の変位によってスイッチング動作を実現する。ケース（３０）を変位させるための操作部（３１）は、該ケース（３０）の一部をそのまま利用しており、特別にスイッチ部品を用意する必要はなく、ケース（３０）そのものがスイッチを兼ねることになる。
【００１６】
ここでのスイッチは、光源を点灯ないし消灯させる第１のスイッチ、および／または光源の点灯時における照度を調光する第２のスイッチである。基本的には、操作部（３１）が、光源を点灯ないし消灯させる第１のスイッチを兼ねることが好ましいが、光源の照度を調光する第２のスイッチだけを兼ねるように構成することも可能である。
【００１７】
第２のスイッチを少なくとも兼ねるように構成することで、光源の照度を調光することが可能となり、着座者は好みの明るさに調整することができる。両方のスイッチを兼ねるように構成した場合には、よりいっそうスイッチに関する部品点数や取り付け工数を削減することができる。
【００１８】
このように、読書灯（１０）自体のケース（３０）を、そのままスイッチとすることにより、光源およびスイッチと、これらと制御回路（６０）間を接続する電気配線は長く引き伸ばされることがなく、間近の部品間を繋ぐ短さで足りる。そのため、電気配線においてノイズが発生する可能性も低減し、電気的安定性を向上させることができる。
【００１９】
前記［２］に記載の読書灯（１０）によれば、より具体的な構成として、前記灯体（２０）は、発光面（２３）以外の面が球面であり、円筒状の前記ケース（３０）の前端開口側にある収納部（３２）に回転可能に保持される。ケース（３０）は、その中心軸周りで前記支持体（４０）に回転可能に軸支されるが、ここでケース（３０）は、収納部（３２）にある灯体（２０）に対して相対的に回転可能となっている。よって、ケース（３０）は、収納部（３２）にある灯体（２０）が支持体（４０）に固定された状態でも、該灯体（２０）に回転が妨げられることなく、支持体（４０）に対して自由に回転させることができる。
【００２０】
このような読書灯（１０）の構成の場合、ケース（３０）の支持体（４０）に対する変位とは中心軸周りの回転であるが、ケース（３０）を回転させるための操作部（３１）は、該ケース（３０）の前端開口端の周囲にフランジ状に形成された回転ツマミであり、読書灯（１０）の一部として外部から容易に操作することができる。回転ツマミを指で摘んで回せば、ケース（３０）は支持体（４０）や灯体（２０）に対して回転する。この回転ツマミの回転操作が、そのまま前記スイッチの操作として利用される。
【００２１】
前記［３］に記載の読書灯（１０）によれば、前記第１のスイッチおよび前記第２のスイッチを構成する一つの可変抵抗器（５０）を備える。この可変抵抗器（５０）の操作軸（５１）を、前記回転ツマミの操作に連動するように歯車機構を介して前記ケース（３０）側に連結させる。これにより、回転ツマミの回転操作により可変抵抗器（５０）の操作軸（５１）は回転し、光源を点灯ないし消灯させたり、光源の照度を調光することが可能となる。
【００２２】
ここで歯車機構は、具体的には例えば前記［４］に記載したように、前記ケース（３０）の後端開口端の周囲に設けた駆動歯車（３３）と、前記可変抵抗器（５０）の操作軸（５１）に設けて、前記駆動歯車（３３）に回転可能に噛み合う従動歯車（５２）とを備える場合、簡易かつコンパクトに構成することが可能となる。
【００２３】
前記［５］に記載したように、読書灯（１０）は、光源および可変抵抗器（５０）に接続される制御回路（６０）を備えるが、ここで可変抵抗器（５０）と制御回路（６０）を、それぞれ前記支持体（４０）に一体に取り付けてユニットとして構成すれば良い。これにより、いっそうコンパクトに構成することができ、一つの部品として取り扱いや取り付け作業も容易となる。
【００２４】
前記［６］に記載したように、読書灯（１０）は、光源の光軸方向も調整可能に構成することもできる。すなわち、前記灯体（２０）は、その発光面（２３）の中心が前記ケース（３０）の中心軸とずれる方向への回転に伴って光源の光軸方向を調整可能とする。かかるケース（３０）の回転時に、灯体（２０）も一緒に回転しないように、灯体（２０）は支持体（４０）に回転不能に支持されている。これにより、灯体（２０）を回転させるように動かすだけで、容易に光源の光軸の調整も可能となる。
【００２５】
より具体的には、前記［７］に記載したように、前記灯体（２０）の発光面（２３）と対向する球面後方にピン（２５）を突設し、該灯体（２０）の球面後方が対接する前記支持体（４０）に、前記ピン（２５）が係合して一定方向に案内するガイド溝（４４ｂ）を設ける。これにより、光源の光軸方向を、ピン（２５）がガイド溝（４４ｂ）を移動する範囲で調整することが可能となる。ここで灯体（２０）は、ピン（２５）に設けられた付勢手段（２７）により支持体（４０）に圧接させることで、操作部（３１）によるケース（３０）の回転操作時に、ケース（３０）と一緒に灯体（２０）が不用意に動かないように保持することができる。
【発明の効果】
【００２６】
本発明に係る読書灯によれば、部品点数や取り付け工数の削減によりコストを低減することができ、限られたスペースにおける取り付け性も良く、電気的な安定性も向上させることができ、しかも、調光機能を付加するにしても、部品点数や取り付け工数の増大を抑えることができる。
【図面の簡単な説明】
【００２７】
【図１】本発明の実施の形態に係る読書灯を示す縦断面図である。
【図２】本発明の実施の形態に係る読書灯を前方から見た斜視図である。
【図３】本発明の実施の形態に係る読書灯を後方から見た斜視図である。
【図４】本発明の実施の形態に係る読書灯を備えた座席の平面図である。
【発明を実施するための形態】
【００２８】
以下、図面に基づき本発明を代表する実施の形態を説明する。
図１〜図４は、本発明の一実施の形態を示している。
本実施の形態に係る読書灯１０は、乗物用の座席１に対応して設けられ、光を照射する照明具である。以下、読書灯１０を、鉄道車両用の座席１に直接設けた場合を例に説明する。
【００２９】
図４に示すように、座席１は、２人分の座部２と背凭れ３が左右に並設された２人掛けの腰掛であり、各背凭れ３の上端側の両側部のうち、それぞれ座席外側に位置する方の側部に読書灯１０は設けられている。ここで読書灯１０は、その一部を表皮の外側に表出させた状態で表皮の内側に埋め込まれ、フレーム材等に取り付けられている。
【００３０】
図１〜図３に示すように、読書灯１０は、光源を含む灯体２０と、該灯体２０を収容した状態で該灯体２０に対して相対的に変位可能なケース３０と、前記灯体２０を固定した状態で前記ケース３０を変位可能に支持する支持体４０とを有している。また、読書灯１０は、車両に搭載された電源からの電流を供給する制御回路を含む基板６０と、該基板６０上に実装された回転操作式の可変抵抗器５０とを有している。
【００３１】
光源は図示省略したが、例えばＬＥＤランプから構成されており、その発光色は適宜定め得る設計事項である。ＬＥＤランプの基板に実装するＬＥＤチップの数も任意に選択することができる。ＬＥＤランプは、可変抵抗器５０を介して基板６０に接続されている。可変抵抗器５０は、その操作軸５１（図１参照）を回転操作すると、その回転角度の変化に応じて抵抗値が所定の抵抗値特性に基づき変化するものである。かかる可変抵抗器５０の構成については、一般的であるので詳細な説明は省略する。
【００３２】
灯体２０は、全体的には球状に形成されて内部は中空となっており、前面側に円形の開口部２１（図２参照）が設けられている。開口部２１の周縁には、底浅な円筒状のフランジ２２が突設されている。灯体２０の内部における開口部２１の内側には、前述した光源が配設されている。フランジ２２の開口端は、光源の光を外部へ照射する発光面をなす円形のカバー部材２３で覆われている。カバー部材２３の中心が光源の光軸中心となり、光軸方向は発光面と垂直に交わっている。
【００３３】
このように灯体２０は、発光面以外の面が球面として形成されているが、発光面と対向する球面後方には、光源の光軸（灯体２０の中心軸）と同軸上に延びるピン２５が一体に突設されている。なお、灯体２０は、耐熱性に優れた金属等により形成され、カバー部材２３は、透光性材質により形成される。
【００３４】
ケース３０は、全体的には円筒状に形成されており、その前端開口側に、前記灯体２０の球面を囲って該灯体２０を回転可能に保持する収納部３２を備えている。ケース３０は、灯体２０に対して中心軸周りに相対的に回転可能な状態で後述の支持体４０に軸支される。ケース３０のうち前端開口を含む前端部分は、灯体２０の球面を前方より囲うように後付けする別体３０ａとなっている。この別体３０ａを取り付けるケース本体側の前方には、灯体２０の球面を後方より囲む段状のテーパー３０ｂが内周に設けられている。
【００３５】
別体３０ａの前端開口は、灯体２０のフランジ２２の外径より大きいが、灯体２０自体の最大直径より小さく、テーパー３０ｂの頂部における内径も、灯体２０自体の最大直径より小さい。そのため、灯体２０は、別体３０ａとテーパー３０ｂの間である収納部３２にて抜け出ないように保持される。なお、別体３０ａは光源に近いため、耐熱性に優れた金属等により形成されるが、ケース本体側は、軽量化のために合成樹脂等により形成すると良い。
【００３６】
ケース３０の一部は、支持体４０に対して変位させるための操作部３１となっている。本実施の形態における「変位」は、ケース３０の中心軸周りの「回転」である。詳しく言えば操作部３１は、ケース３０の前端開口端、すなわち前記別体３０ａの前端開口の周縁に、フランジ状の回転ツマミとして形成されている。
【００３７】
本実施の形態における操作部３１は、前記光源を点灯ないし消灯させる第１のスイッチと、前記光源の点灯時における照度を調光する第２のスイッチとを兼ねている。操作部３１である回転ツマミの表面には、光源を点灯または消灯させる回転方向を示唆するマークが記されており、この回転ツマミは、座席１の表皮の外側に表出している。これらのスイッチは、前述した可変抵抗器５０と組み合わされている。
【００３８】
すなわち、前記可変抵抗器５０の操作軸５１は、操作部３１の回転操作に連動するように歯車機構を介してケース３０側に連結されている。ケース３０の後端開口端の周囲には、段状のフランジ３０ｃが設けられており、このフランジ３０ｃの周囲に駆動歯車３３が固定されている。一方、可変抵抗器５０の操作軸５１には、前記駆動歯車３３に回転可能に噛み合う従動歯車５２が固定されている。これらの歯車３３，５２からなる歯車機構により、操作部３１の回転操作に伴い操作軸５１が回転するように構成されている。
【００３９】
支持体４０は、灯体２０を含むケース３０、可変抵抗器５０、それに基板６０を、それぞれ一体に取り付けてユニットをなすものであり、正面壁４１と、台座部４２と、円筒部４３と、後方支持片４４とからなる。正面壁４１は、読書灯１０の略垂直となる基準面をなし、円筒部４３を貫装させる円形の取付孔４１ａが設けられている。正面壁４１は、金属板より加工すると良い。正面壁４１の下方は、後方へ直角に折り曲げられて略水平となる台座部４２として形成されている。台座部４２上には、ボス４２ａを介して基板６０が配設されている。
【００４０】
円筒部４３は、前記ケース３０の外径よりも内径が若干大きい円筒形に形成されている。円筒部４３は、その前端開口の端縁に設けられたフランジ４３ａが正面壁４１の取付孔４１ａの周囲に当接した状態で、正面壁４１に一体に固定されている。かかる円筒部４３に、前記ケース３０は内挿された状態で回転可能に軸支されている。円筒部４３は、合成樹脂により成形すると良い。
【００４１】
後方支持片４４は、正面壁４１の後方にて該正面壁４１の上端から台座部４２の下端にかけて架設されている。後方支持片４４は、細幅の金属板を図示の形状に加工して構成されている。後方支持片４４の途中は、正面壁４１の後方に突出した前記ケース３０の後端側開口より内部に収まる凹部４４ａとして形成されており、凹部４４ａの内面は、前記灯体２０の球面後方に対接している。すなわち、ケース３０の収納部３２に収められた灯体２０は、後方支持片４４の凹部４４ａによっても後方より保持されている。
【００４２】
このように灯体２０は、カバー部材（発光面）２３の中心が、ケース３０の中心軸とずれる方向への回転が可能に保持されており、光源の光軸方向も調整することができる。ここで灯体２０は、前記操作部３１の回転操作に伴うケース３０の回転時には、ケース３０と一緒に回転することはなく、前記支持体４０に対して回転不能に支持されている。詳しく言えば、支持体４０における後方支持片４４の凹部４４ａには、灯体２０の球面後方に突設されたピン２５が係合して一定方向に案内されるガイド溝４４ｂが設けられている。
【００４３】
ガイド溝４４ｂは、図３に示すように、ケース３０の中心軸を間にして上下方向へ延びている。よって、灯体２０は、そのピン２５がガイド溝４４ｂを移動する範囲で、ケース３０の中心軸とずれる上下方向へ回転可能であり、光源の光軸方向を上下方向に調整可能に構成されている。ここで灯体２０は、ピン２５に設けられたコイルバネ（付勢手段）２７により後方支持片４４の凹部４４ａの内面に対して圧接された状態で支持されている。
【００４４】
詳しく言えば、灯体２０のピン２５は、凹部４４ａのガイド溝４４ｂを挿通して後方へ突出しており、その先端にピン２５の軸方向と直交する方向へ突起２５ａが突設されている。ピン２５においてガイド溝４４ｂより抜け出た基端と突起２５ａとの間に、コイルバネ２７が前後の座金２６ａ，２６ｂを介して介装されている。このコイルバネ２７の延びようとする弾発力により、灯体２０のピン２５周りの球面後方は、凹部４４ａの内面に対し圧接しており、光軸を傾けた状態で保持可能に構成されている。
【００４５】
次に、本実施の形態に係る読書灯１０の作用について説明する。
本読書灯１０によれば、灯体２０を収容したケース３０が、支持体４０に対して回転可能であり、このケース３０の回転によって光源の点灯と調光のスイッチング動作を実現する。ケース３０を回転させる操作部３１は、該ケース３０の一部を回転ツマミとしている。これにより、読書灯１０自体の構成部品とは別にスイッチ部品を用意する必要はなく、ケース３０そのものがスイッチを兼ねることになる。従って、読書灯１０に関する部品点数や取り付け工数が削減され、コストを低減することができる。
【００４６】
操作部３１を回転させると、そのままケース３０が回転して、ケース３０と一体の駆動歯車３３に噛み合っている従動歯車５２も回転する。これにより、従動歯車５２と一体の可変抵抗器５０の操作軸５１を回転させることができる。操作軸５１が回転すると、その回転角度に応じて可変抵抗器５０の抵抗値が変化し、これに基づき基板６０にある制御回路からの出力電圧が変化し、基板６０中のトランジスタ等を介して光源に流れる電流が制御される。
【００４７】
可変抵抗器５０の抵抗値が最大値の時は光源が消灯し、かかる消灯時の操作部３１の回転角度を初期位置とする。操作部３１を初期位置から例えば時計回りに回転させると、可変抵抗器５０の抵抗値が大きくなるように設定する。これにより、操作部３１を直感的に分かり易い時計回りに回転させることで、光源を点灯させると共に光源の照度を着座者の所望の明るさまで任意に調整することができる。また、操作部３１である回転ツマミの表面に、図２に示すように、光源を点灯または消灯させる回転方向を示唆するマークを記しておけば、着座者は操作に迷うことがない。
【００４８】
このように、読書灯１０自体のケース３０の一部（操作部３１）を、光源の点灯と調光のための２つのスイッチとすることにより、光源およびスイッチと、これらと制御回路６０間を接続する電気配線は長く引き伸ばされることがなくなり、間近の部品間を繋ぐ短さで足りる。そのため、電気配線においてノイズが発生する可能性も低減し、電気的安定性を向上させることができる。また、操作部３１の回転を操作軸５１に伝達する前述の歯車機構によれば、簡易かつコンパクトに構成することができる。
【００４９】
図１に示すように、ケース３０は、その中心軸周りで支持体４０の円筒部４３に回転可能に軸支されるが、ここでケース３０は、収納部３２にある灯体２０に対して相対的に回転可能となっている。従って、ケース３０は、収納部３２にある灯体２０が支持体４０に固定された状態にあっても、該灯体２０に回転が妨げられることなく、支持体４０に対して自由に回転させることができる。
【００５０】
読書灯１０は、光源を含む灯体２０やケース３０の他、可変抵抗器５０や制御回路を含む基板６０を備えるが、これらの構成部品は、全て支持体４０に一体に取り付けられてユニットとして構成されている。これにより、読書灯１０をいっそうコンパクトに構成することができ、一つの部品として取り扱いや取り付け作業も容易となる。また、図４に示した座席１における限られたスペースでの取り付け性も良い。
【００５１】
また、読書灯１０は、光源の光軸方向を調整可能な機構も備えている。すなわち、灯体２０は、カバー部材（発光面）２３の中心が、ケース３０の中心軸を間にして上下にずれる方向へ回転させることができ、光源の光軸方向を上下方向に調整することができる。ここで着座者は、灯体２０を手で動かすことにより、所望の位置に光が当たるように光源の光軸を容易に変更することができる。
【００５２】
灯体２０は、ピン２５に設けられたコイルバネ２７によって、支持体４０における後方支持片４４の凹部４４ａの内面に対して圧接されている。この圧接による摩擦抵抗によって、灯体２０を、光源の光軸を任意の角度に傾けた状態で不用意に動かないように保持することができる。また、操作部３１によるケース３０の回転操作時に、ケース３０と一緒に灯体２０が不用意に動くこともない。なお、光源の光軸を調整できる角度は、図１中に想像線で示すように、ピン２５がガイド溝４４ｂを移動する範囲に規制されている。
【００５３】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、読書灯１０を設ける座席１は鉄道車両用に限定されることはなく、また、座席１に直接設けることなく、座席１に対応するように付近の天井や側壁等に設けても良い。
【００５４】
また、読書灯１０を構成する灯体２０、ケース３０、支持体４０等の具体的な形状は、図示したものに限定されることはない。特に、ケース３０を支持体４０に対して変位させる態様は、本実施の形態では「回転」であるが、これに限定されるものではなく、他に例えば、ケースの支持体に対してスライドするように支持しても良い。
【００５５】
また、前記実施の形態では、操作部３１を、光源を点灯ないし消灯させる第１のスイッチと、光源の照度を調光する第２のスイッチとを兼ねるように構成したが、何れか一方のスイッチのみを兼ねるように構成しても良い。かかる場合、他方のスイッチは、読書灯１０自体やその近傍に別途設けることになる。
さらに、光源の光軸方向を調整する方向は上下方向に限られることなく、必要に応じて左右方向にしたり、３６０度の全周方向に調整できるように構成しても良い。
【産業上の利用可能性】
【００５６】
本発明は、鉄道車両、航空機、自動車、船舶等の乗物用の座席の読書灯として広く利用することができる。
【符号の説明】
【００５７】
１…座席
１０…読書灯
２０…灯体
２１…開口部
２２…フランジ
２３…カバー部材（発光面）
２５…ピン
２７…コイルバネ（付勢手段）
３０…ケース
３１…操作部（回転ツマミ）
３２…収納部
３３…駆動歯車
４０…支持体
４１…正面壁
４２…台座部
４３…円筒部
４４…後方支持片
４４ａ…凹部
４４ｂ…ガイド溝
５０…可変抵抗器
５１…操作軸
６０…基板（制御回路）
【図１】
2019064410.tif 000003
【図２】
2019064410.tif 000004
【図３】
2019064410.tif 000005
【図４】
2019064410.tif 000006